(57)【要約】【課題】  受信側の指示に応じて所定の形態の画像データを送信できる画像データ送信装置を提供する。【解決手段】  ネットワークを介して画像データを受信装置に送信する画像データ送信装置であって、前記画像データを画像変換データファイルに変換すると共に、前記画像変換データファイルのファイル情報を作成する画像データ変換手段と、前記ファイル情報を前記受信装置に通知する通知手段と、前記画像変換データファイルの送信方法に関する指示情報を受信する受信手段と、前記指示情報に基づいて前記画像変換データファイルを前記受信装置に送信する送信制御手段とを備える。【選択図】      図５
2006314021.tif 000002
【特許請求の範囲】
【請求項１】
ネットワークを介して画像データを受信装置に送信する画像データ送信装置であって、
前記画像データを画像変換データファイルに変換すると共に、前記画像変換データファイルのファイル情報を作成する画像データ変換手段と、
前記ファイル情報を前記受信装置に通知する通知手段と、
前記画像変換データファイルの送信方法に関する指示情報を受信する受信手段と、
前記指示情報に基づいて前記画像変換データファイルを前記受信装置に送信する送信制御手段と
を備えたことを特徴とする画像データ送信装置。
【請求項２】
前記通知手段は、前記ファイル情報と共に前記画像変換データファイルの一部を前記受信装置に送信することを特徴とする請求項１に記載の画像データ送信装置。
【請求項３】
前記通知手段は、前記ファイル情報と共に前記画像変換データファイルのプレビュー版を前記受信装置に送信することを特徴とする請求項１又は２に記載の画像データ送信装置。
【請求項４】
前記変換手段は、前記画像データから解像度の異なる複数の画像変換データファイルに変換し、
前記通知手段は、解像度の異なる複数の前記画像変換データファイルのそれぞれのファイル情報と共にそれぞれの前記画像変換データファイルのプレビュー版を前記受信装置に送信することを特徴とする請求項１から３のいずれか一項に記載の画像データ送信装置。
【請求項５】
前記指示情報に基づいて前記画像変換データを編集する画像データ編集手段をさらに備えることを特徴とする請求項１から４のいずれか一項に記載の画像データ送信装置。
【請求項６】
前記編集手段は、前記指示情報に基づいて前記画像変換データファイルの解像度を変更した画像編集データファイルを作成し、
前記送信制御手段は、前記画像編集データファイルを前記受信装置に送信することを特徴とする請求項５に記載の画像データ送信装置。
【請求項７】
前記送信制御手段は、前記指示情報に基づいて必要なページのみを含む画像変換データファイルを前記受信装置に送信することを特徴とする請求項１から５のいずれか一項に記載の画像データ送信装置。
【請求項８】
前記送信制御手段は、前記指示情報に基づいて画像変換データファイルを分割して前記受信装置に送信することを特徴とする請求項１から５のいずれか一項に記載の画像データ送信装置。
【請求項９】
前記送信制御手段は、前記指示情報に基づいて画像変換データファイルを所定の保存先に保存し、前記受信装置に前記保存先に関する保存情報を送信することを特徴とする請求項１から５のいずれか一項に記載の画像データ送信装置。
【請求項１０】
受信した前記指示情報を記憶するデータ記憶手段をさらに備え、
前記送信制御手段は、前記データ記憶手段に前記受信装置についての前記指示情報が存在する場合には、前記指示情報に従って前記画像変換データを前記受信装置に送信することを特徴とする請求項１から９のいずれか一項に記載の画像データ送信装置。
【請求項１１】
前記通知手段によって前記ファイル情報を前記受信装置に送信してから所定時間が経過した後、前記受信装置から指示情報を受信していない場合、前記送信制御手段は、前記画像変換データファイルを所定の保存先に保存し、前記受信装置に前記保存先に関する保存情報を通知することを特徴とする請求項１から５のいずれか一項に記載の画像データ送信装置。
【請求項１２】
前記通知手段によって前記ファイル情報を前記受信装置に送信してから所定時間が経過した後、前記受信装置から指示情報を受信していない場合、前記送信制御手段は、前記画像変換データファイルを最低の解像度で編集した画像編集データファイルを作成し、前記受信装置に前記画像編集データファイルを送信することを特徴とする請求項１から５のいずれか一項に記載の画像データ送信装置。
【請求項１３】
前記通知手段によって前記ファイル情報を前記受信装置に送信してから所定時間が経過した後、前記受信装置から指示情報を受信していない場合、前記送信制御手段は、前記受信装置に関連づけられた第２の送信先に前記ファイル情報を通知することを特徴とする請求項１から５のいずれか一項に記載の画像データ送信装置。
【請求項１４】
前記通知手段によって前記ファイル情報を前記受信装置に送信してから所定時間が経過した後、前記受信装置から指示情報を受信していない場合、
前記送信制御手段は、所定の指示先に前記受信装置から指示情報を受信していない旨を通知し、前記指示先からの指示情報に基づいて、前記画像変換データファイルを前記受信装置に送信することを特徴とする請求項１から５のいずれか一項に記載の画像データ送信装置。
【請求項１５】
ネットワークを介して画像データを受信装置に送信する画像データ送信方法であって、
前記画像データを画像変換データファイルに変換すると共に、前記画像変換データファイルのファイル情報を作成するステップと、
前記ファイル情報を前記受信装置に通知するステップと、
前記画像変換データファイルの送信方法に関する指示情報を受信するステップと、
前記指示情報に基づいて前記画像変換データファイルを前記受信装置に送信するステップと
を含むことを特徴とする画像データ送信方法。
【請求項１６】
請求項１５に記載の前記画像データ送信方法をコンピュータに実行させることを特徴とする画像データ送信プログラム。
【請求項１７】
請求項１６に記載の前記画像データ送信プログラムを格納したことを特徴とするコンピュータ読み取り可能な記録媒体。
【請求項１８】
原稿を読み取って画像データを生成する読取手段をさらに備え、スキャナ装置として機能することを特徴とする請求項１から１４のいずれか一項に記載の画像データ送信装置。
【発明の詳細な説明】
【技術分野】
【０００１】
本発明は、ネットワークを介して画像データを受信装置に送信する画像データ送信装置及び画像データ送信方法に関する。
【背景技術】
【０００２】
近年、多機能複合機（ＭＦＰ）は、スタンドアローンではなくネットワークに接続されて複数のユーザによって利用されている。このＭＦＰでは、原稿をスキャンして得られた画像データを、ネットワークを介して所定の送信先に送信することができる。しかし、画像データのファイル容量は大きい場合があり、受信側にとって必要以上に大容量のファイルが送信されてくるとＨＤＤ等の資源を消費し、また、ネットワークを介して多くの送信先に大容量のファイルを送信した場合にはネットワークへの負荷が増大する。
【０００３】
そこで、従来、あらかじめ送信可能なファイル容量を設定しておき、設定したファイル容量以下のファイルのみを送信する方法等が考えられている。例えば、読み込んだ画像データを保存領域に保存し、送信先毎に設定されたファイル容量の上限値と比較し、比較結果を通知し、上限以内であればそのまま送信し、上限値を超えるデータは送信中止、所定文のみ送信、又は、所定文＋添付ファイル情報の送信のいずれかの処理を行うデータ通信装置が知られている（例えば、特許文献１参照。）。
【０００４】
また、読み込んだ画像データのファイル容量を許容量と比較し、許容量を超える場合はその旨を通知し、許容量に収まるようにページ数の制限を行うか、もしくは解像度を変換して送信する画像通信装置が知られている（例えば、特許文献２参照。）。
【０００５】
さらに、読み込んだ画像データファイルをディスクに保存し、ＰＣからの要求に応じて、ファイルの管理情報（画像リスト等）を送信し、必要に応じて指定された画像データをディスクから読み出して送信するネットワークコピーファイル管理システムが知られている（例えば、特許文献３参照。）。
【０００６】
【特許文献１】特開２００３−１７９７１３号公報
【特許文献２】特開２００２−１４０２７６号公報
【特許文献３】特開２０００−３２２３３８号公報
【発明の開示】
【発明が解決しようとする課題】
【０００７】
しかし、上記の例ではあらかじめ設定されたファイル容量等の条件によって送信側で送信中止等の処理が実行されてしまうため、受信側で必要とする画像データ等をタイムリーに受信できない場合がある。
【０００８】
そこで、本発明の目的は、受信側の指示に応じて所定の形態の画像データを送信できる画像データ送信装置を提供することである。
【課題を解決するための手段】
【０００９】
本発明に係る画像データ送信装置は、ネットワークを介して画像データを受信装置に送信する画像データ送信装置であって、
前記画像データを画像変換データファイルに変換すると共に、前記画像変換データファイルのファイル情報を作成する画像データ変換手段と、
前記ファイル情報を前記受信装置に通知する通知手段と、
前記画像変換データファイルの送信方法に関する指示情報を受信する受信手段と、
前記指示情報に基づいて前記画像変換データファイルを前記受信装置に送信する送信制御手段と
を備えたことを特徴とする。
【００１０】
また、前記通知手段は、前記ファイル情報と共に前記画像変換データファイルの一部を前記受信装置に送信してもよい。さらに、前記通知手段は、前記ファイル情報と共に前記画像変換データファイルのプレビュー版を前記受信装置に送信してもよい。
【００１１】
なお、前記変換手段は、前記画像データから解像度の異なる複数の画像変換データファイルに変換できる。また、この場合、前記通知手段は、解像度の異なる複数の前記画像変換データファイルのそれぞれのファイル情報と共にそれぞれの前記画像変換データファイルのプレビュー版を前記受信装置に送信する。
【００１２】
さらに、前記指示情報に基づいて前記画像変換データを編集する画像データ編集手段をさらに備えることを特徴とする。
【００１３】
また、前記編集手段は、前記指示情報に基づいて前記画像変換データファイルの解像度を変更した画像編集データファイルを作成できる。この場合、前記送信制御手段は、前記画像編集データファイルを前記受信装置に送信することができる。
【００１４】
また、前記送信制御手段は、前記指示情報に基づいて必要なページのみを含む画像変換データファイルを前記受信装置に送信することができる。さらに、前記送信制御手段は、前記指示情報に基づいて画像変換データファイルを分割して前記受信装置に送信することができる。またさらに、前記送信制御手段は、前記指示情報に基づいて画像変換データファイルを所定の保存先に保存し、前記受信装置に前記保存先に関する保存情報を送信することができる。
【００１５】
受信した前記指示情報を記憶するデータ記憶手段をさらに備えてもよい。この場合、前記送信制御手段は、前記データ記憶手段に前記受信装置についての前記指示情報が存在する場合には、前記指示情報に従って前記画像変換データを前記受信装置に送信することができる。
【００１６】
前記通知手段によって前記ファイル情報を前記受信装置に送信してから所定時間が経過した後、前記受信装置から指示情報を受信していない場合、前記送信制御手段は、前記画像変換データファイルを所定の保存先に保存し、前記受信装置に前記保存先に関する保存情報を通知することができる。
【００１７】
前記通知手段によって前記ファイル情報を前記受信装置に送信してから所定時間が経過した後、前記受信装置から指示情報を受信していない場合、前記送信制御手段は、前記画像変換データファイルを最低の解像度で編集した画像編集データファイルを作成し、前記受信装置に前記画像編集データファイルを送信することができる。
【００１８】
前記通知手段によって前記ファイル情報を前記受信装置に送信してから所定時間が経過した後、前記受信装置から指示情報を受信していない場合、前記送信制御手段は、前記受信装置に関連づけられた第２の送信先に前記ファイル情報を通知することができる。
【００１９】
前記通知手段によって前記ファイル情報を前記受信装置に送信してから所定時間が経過した後、前記受信装置から指示情報を受信していない場合、
前記送信制御手段は、所定の指示先に前記受信装置から指示情報を受信していない旨を通知し、前記指示先からの指示情報に基づいて、前記画像変換データファイルを前記受信装置に送信することができる。
【００２０】
本発明に係る画像データ送信方法は、ネットワークを介して画像データを受信装置に送信する画像データ送信方法であって、
前記画像データを画像変換データファイルに変換すると共に、前記画像変換データファイルのファイル情報を作成するステップと、
前記ファイル情報を前記受信装置に通知するステップと、
前記画像変換データファイルの送信方法に関する指示情報を受信するステップと、
前記指示情報に基づいて前記画像変換データファイルを前記受信装置に送信するステップと
を含むことを特徴とする。
【００２１】
なお、前記画像データ送信方法をコンピュータに実行させることを特徴とする画像データ送信プログラムとしてもよい。さらに、前記画像データ送信プログラムをコンピュータ読み取り可能な記録媒体に格納してもよい。
【００２２】
さらに、前記画像データ送信装置は、原稿を読み取って画像データを生成する読取手段をさらに備えてもよい。この場合、画像データ送信装置は、スキャナ装置として機能させることができる。
【発明の効果】
【００２３】
本発明に係る画像データ送信装置によれば、受信装置に画像データを送信するにあたって、送信しようとする画像変換データファイルのファイル情報を受信装置に通知し、受信装置からの指示情報に従って画像変換データファイルの送信を制御する。これによって、受信装置の指示に基づいて画像変換データファイルを受信装置に送信することができる。
【発明を実施するための最良の形態】
【００２４】
本発明の実施の形態に係る画像データ送信装置について添付図面を用いて説明する。なお、図面において、実質的に同一の部材には同一の符号を付している。
【００２５】
実施の形態１
図１は、本発明の実施の形態１に係る画像データ送信装置１０を含むネットワークシステムの概略的な構成を示す図である。この画像データ送信装置１０は、ネットワーク２０を介して受信装置（送信先）３０、送信元４０、外部保存先５０と接続されている。図２は、この画像データ送信装置１０の物理的な構成を示すブロック図である。この画像データ送信装置１０は、ＣＰＵ１、ＲＯＭ２、ＲＡＭ３、ＨＤＤ４、入力部５、表示部６、プリント部７、ネットワーク２０と接続可能なインタフェース８、バス９を備える。また、送信先３０は、表示部３２と入力部３４とを備える。
【００２６】
図３は、この画像データ送信装置１０の基本画面の一例を示す図である。この基本画面では、コピー、スキャン、ＦＡＸの機能を画面のボタンを選択することで実行できる。図４は、図３のスキャンを選択した場合に、読み込んだ画像データを送信するスキャン＆センドの機能を実行する場合の送信先／送信元を設定する画面の一例である。図４に示すように、送信先／送信元のアドレスは、直接入力してもよいし、アドレス帳から選択してもよい。なお、ここで、送信先３０とは、画像データを送信しようとする宛先であり、送信元４０は、スキャン＆センドを指示するユーザの端末である。ユーザは原稿をスキャンする際には画像データ送信装置１０の側にいるので、画像データ送信装置１０の画面からユーザの端末を送信元４０として設定できる。
【００２７】
また、図５は、この画像データ送信装置１０の機能的な構成を示すブロック図である。この画像データ送信装置１０は、画像読み取り手段１１、送信先設定手段１２、送信元設定手段１３、データ記憶手段１４、画像データ変換手段１５、画像データ編集手段１６、送信制御手段１７、通知手段１８、画像データ送信手段１９、受信手段２１、データ送信中止手段２２を備える。
【００２８】
次に、各構成部材について説明する。画像読み取り手段１１は、例えば、スキャナ部であり、画像データを生成する。この画像データ送信装置１０は、画像読み取り手段１１を備えるので、スキャナ装置としても機能させることができる。また、送信先設定手段１２によって送信先データを入力し、送信元設定手段によって送信元データを入力する。データ記憶手段１４は、画像データ、画像変換データ、ファイル情報、画像編集データ、及び、アドレスデータ（送信先／送信元）を記録する。画像データ変換手段１５は、画像データを変換して画像変換データを生成するとともに、画像変換データの容量情報等のファイル情報を生成する。画像データ編集手段１６は、画像変換データを編集して画像編集データとその編集内容データとを生成する。送信制御手段１７は、通知手段１８、画像データ送信手段１９、データ送信中止手段２２を制御する。通知手段１８は、ファイル情報、保存情報を受信装置（送信先）３０に送信し、受信状況を送信元４０に送信する。画像データ送信手段１９は、画像変換データ、画像編集データを受信装置３０に送信し、あるいは、画像変換データを外部保存先（サーバ）５０に送信する。受信手段２１は、受信装置３０や送信元からの指示情報を受信し、外部保存先５０から保存情報を受信する。
【００２９】
この画像データ送信装置１０によれば、受信装置３０に画像データを送信するにあたって、送信しようとする画像変換データファイルのファイル情報を受信装置３０に通知し、受信装置３０からの指示情報に従って画像変換データファイルの送信を制御する。これによって、受信装置３０側で希望する形態の画像変換データファイルを受信装置３０に送信することができる。
【００３０】
図６は、画像データ送信方法のフローチャートである。図７及び図８は、図６のフローチャートの画像データ送信方法を概略的に説明する図である。
（ａ）原稿をセットする（Ｓ０１）。ここではスキャン後にメール送信する場合を例としてあげている。
（ｂ）送信先３０を設定する（Ｓ０２）。この送信先３０とは、ネットワーク２０を介して画像データを送信する宛先の受信装置である。
（ｃ）送信元４０を設定する（Ｓ０３）。この送信元４０とは、画像データの送信を指示したユーザの端末である。
（ｄ）原稿をスキャンする（Ｓ０４）。具体的には画像読み取り手段１１で原稿を読み取り、画像データ（元データ）を得ることができる。
（ｅ）画像データを各ファイル形式に変換する（Ｓ０５）。具体的には、画像データ変換手段１５で、例えば、図７の例で示すように、ＰＤＦファイル（Ａ．ｐｄｆ）に変換する。また、変換後のＰＤＦファイルの容量情報（１００ＭＢ）等のファイル情報を作成する。
（ｆ）変換後の画像データファイル（ＰＤＦファイル）の容量情報をネットワーク２０を介して送信先３０へ通知する（Ｓ０６）。送信先３０では、例えば、図７に示すように通知の内容を画面表示する。この画面表示の例では、指示として「そのまま受信」、「ページ指定または編集」、「別の場所に保存」、「受信拒否」の４つの選択枝を表示している。ユーザは、上記４つの選択枝から選択した指示情報を画像データ送信装置１０に送信する。
（ｇ）画像データ送信装置１０では、指示待ちタイマをクリアする（Ｓ０７）。
（ｈ）送信先３０からの指示を受信したか判断する（Ｓ０８）。指示を受信した場合には、その指示に応じて、Ｓ０９、Ｓ１１、Ｓ１２、Ｓ１３のいずれかに分岐する。一方、指示を受信しなかった場合には、ステップＳ１５に移行する。
（ｉ−１）送信先３０から「そのまま受信」の指示を受けた場合（Ｓ０９）である。この指示の場合の例について図８に示した。
（ｊ−１）画像データ送信装置１０から画像データファイルをネットワーク２０を介して送信先３０へ送信する（Ｓ１０）。その後、終了する。
（ｉ−２）送信先３０から「ページ指定または編集」の指示を受けた場合（Ｓ１１）である。この場合については、分岐Ｂとして後述する。
（ｉ−３）送信先３０から「別の場所に保存」の指示を受けた場合（Ｓ１２）である。この場合については、分岐Ｃとして後述する。
（ｉ−４）送信先３０から「受信拒否」の指示を受けた場合（Ｓ１３）である。
（ｊ−４）指示が受信拒否であるので、データ送信中止手段２２でファイル送信中止処理を行う（Ｓ１４）。その後、終了する。
（ｋ）ステップＳ０８で受信装置３０から指示を受信しなかった場合には、このステップに移行し、指示待ちタイマを加算する（Ｓ１５）。
（ｌ）指示待ち時間の閾値を超えたか否かを判断する（Ｓ１６）。閾値を超えたばあいについては分岐Ａとして後述する。一方、閾値を超えていない場合には送信先からの指示受信を判断するステップＳ０８に戻る。
以上によって、送信先３０の指示情報に基づいて画像データを送信先３０へ送信することができる。
【００３１】
実施の形態２
図９は、本発明の実施の形態２に係る画像データ送信方法のフローチャートである。図１０は、図９のフローチャートの画像データ送信方法を概略的に説明する図である。
（ａ）原稿をセットする（Ｓ２１）。
（ｂ）送信先３０を設定する（Ｓ２２）。
（ｃ）送信元４０を設定する（Ｓ２３）。
（ｄ）原稿をスキャンする（Ｓ２４）。
（ｅ）原稿から全ページの画像データを作成する（Ｓ２５）。
（ｆ）ページを指定する（Ｓ２６）。なお、この指定はデフォルトでの指定であって、変更することもできる。図１０の例では第１ページのみを指定している。
（ｇ）指定されたページの画像データのみをＰＤＦファイル（Ａ．ｐｄｆ）に変換する（Ｓ２７）。
（ｈ）全ページをＰＤＦファイルに変換した場合の画像データファイルの容量情報、送信元情報、画像データの一部を確認用として送信先３０へ通知する（Ｓ２８）。送信先３０では、受信した通知を、例えば図１０に示すように画面表示する。
（ｉ）その後、図６のステップＳ０７へ移行する。これ以降のステップは図６のフローチャートと同様であるので省略する。
以上によって、指定ページのみの画像データを確認用として送信先３０へ通知するので、送信先３０での受信負担を軽減でき、ネットワークへの負荷も軽減できる。
【００３２】
実施の形態３
図１１は、本発明の実施の形態３に係る画像データ送信方法のフローチャートである。図１２は、図１１のフローチャートの画像データ送信方法を概略的に説明する図である。
（ａ）原稿をセットする（Ｓ３１）。
（ｂ）送信先３０を設定する（Ｓ３２）。
（ｃ）送信元４０を設定する（Ｓ３３）。
（ｄ）原稿をスキャンする（Ｓ３４）。
（ｅ）原稿から全ページの画像データを作成する（Ｓ３５）。
（ｆ）画像データをＰＤＦファイルに変換する（Ｓ３６）。
（ｇ）変換後の画像データファイルの容量情報、画像データのプレビューを送信先３０へ通知する（Ｓ３７）。送信先３０では、図１２に示すように、画像データのプレビューを表示する。これによって、送信先３０で画像データの要否を検討でき、画像データ送信装置１０に迅速に指示できる。
（ｈ）その後、図６のステップＳ０７へ移行する。これ以降のステップは図６のフローチャートと同様であるので省略する。
以上によって、プレビュー版を通知するので、送信先３０から迅速に指示情報を受信できる。
【００３３】
実施の形態４
図１３は、本発明の実施の形態４に係る画像データ送信方法のフローチャートである。図１４は、図１３のフローチャートの画像データ送信方法を概略的に説明する図である。
（ａ）原稿をセットする（Ｓ４１）。
（ｂ）送信先３０を設定する（Ｓ４２）。
（ｃ）送信元４０を設定する（Ｓ４３）。
（ｄ）原稿をスキャンする（Ｓ４４）。
（ｅ）原稿の全ページの異なる解像度の複数の画像サンプルを作成する（Ｓ４５）。図１４に示す例では、解像度３００ｄｐｉ、６００ｄｐｉ、９００ｄｐｉの３種類の画像サンプルを作成する。
（ｆ）作成した全ページの画像サンプルをＰＤＦファイルに変換する（Ｓ４６）。図１４に示す例では、解像度３００ｄｐｉの画像サンプルはＰＤＦファイル３００．ｐｄｆ（容量１００ＭＢ）に変換し、解像度６００ｄｐｉの画像サンプルはＰＤＦファイル６００．ｐｄｆ（容量４００ＭＢ）に変換し、解像度９００ｄｐｉの画像サンプルはＰＤＦファイル９００．ｐｄｆ（容量９００ＭＢ）に変換する。
（ｇ）各解像度の変換後のＰＤＦファイルの容量情報、各解像度の画像データのそれぞれのプレビューを送信先３０へ通知する（Ｓ４７）。送信先３０では、図１４の例に示すように、それぞれのプレビュー表示と、各解像度のＰＤＦファイルの容量、１００ＭＢ、４００ＭＢ、９００ＭＢを表示する。これによって、送信先３０で適当な解像度のＰＤＦファイルを選択して画像データ送信装置１０に指示できる。
（ｈ）図６のステップＳ０７へ移行する。これ以降のステップは図６のフローチャートと同様であるので省略する。
以上によって、送信先３０からの指示情報に基づいて適当な解像度のＰＤＦファイルを送信先３０へ送信できる。
【００３４】
実施の形態５
図１５は、本発明の実施の形態５に係る画像データ送信方法のフローチャートである。図１６は、図１５のフローチャートの画像データ送信方法を概略的に説明する図である。
（ａ）受信者（送信先）３０が希望する容量の指示メールを送信する（Ｓ５０）。これは、図６のフローチャートの分岐Ｂの一例である。図１６の例では、「データを以下の条件で送信願います。ファイル容量５０ＭＢ」との指示情報を画像データ送信装置１０に送信する。
（ｂ）送信側（画像データ送信装置１０）が受信者（送信先）３０の指示メールを受信する（Ｓ５１）。
（ｃ）元データの解像度を変更して画像データを作成する（Ｓ５２）。図１６の例では、例えば、元データの解像度６００ｄｐｉでＰＤＦファイルにするとファイル容量１００ＭＢであるので、全体的又は部分的に解像度を粗く（例えば、３００ｄｐｉ）して、ＰＤＦファイルとした場合にファイル容量５０ＭＢとなるようにする。
（ｄ）画像データをＰＤＦファイル（Ｂ．ｐｄｆ）に変換する（Ｓ５３）。
（ｅ）変換した画像データ（ＰＤＦファイル：Ｂ．ｐｄｆ）を送信先３０に送信する（Ｓ５４）。
以上によって、送信先３０からの指示情報に基づいてファイル容量を小さくした画像データを送信先３０に送信できる。
【００３５】
実施の形態６
図１７は、本発明の実施の形態６に係る画像データ送信方法のフローチャートである。図１８は、図１７のフローチャートの画像データ送信方法を概略的に説明する図である。
（ａ）受信者（送信先）３０が希望ページ数の指示メールを送信する（Ｓ５５）。これは、図６のフローチャートの分岐Ｂの一例である。図１８の例では、指示メールは「全ページ中２ページ目を送信願います」との指示情報を含むものである。
（ｂ）送信側（画像データ送信装置）１０において受信者３０からの指示メールを受信する（Ｓ５６）。
（ｃ）送信先３０の指示に基づいて、全データの中からページ指定された画像データを作成する（Ｓ５７）。図１８の例では、第２ページ目だけを抽出する。
（ｄ）ページ指定された画像データをＰＤＦファイル（Ｂ．ｐｄｆ）に変換する（Ｓ５８）。
（ｅ）変換した画像データ（ＰＤＦファイル：Ｂ．ｐｄｆ）を送信先３０に送信する（Ｓ５９）。
以上によって、送信先３０からの指示情報に基づいて必要なページだけの画像データを送信できる。
【００３６】
実施の形態７
図１９は、本発明の実施の形態７に係る画像データ送信方法のフローチャートである。図２０は、図１９のフローチャートの画像データ送信方法を概略的に説明する図である。
（ａ）受信者（送信先）３０が希望受信方法の指示メールを送信する（Ｓ６１）。これは、図６のフローチャートの分岐Ｂの一例である。図２０の例では、指示メールは、「全データを２分割して送信願います。」との指示情報を含むものである。
（ｂ）送信側（画像データ送信装置）１０が受信者３０の指示メールを受信する（Ｓ６２）。
（ｃ）送信先３０の指示に基づいて、全データを分割した画像データを作成する（Ｓ６３）。図２０の例では、全４ページの画像データを２ページずつに分割する。
（ｄ）分割されたそれぞれの画像データをＰＤＦファイルに変換する（Ｓ６４）。図２０の例では、第１ページと第２ページを合わせてＰＤＦファイルＡＢ．ｐｄｆに変換し、第３ページと第４ページとを合わせてＰＤＦファイルＣＤ．ｐｄｆに変換する。
（ｅ）変換した画像データ（ＰＤＦファイル：ＡＢ．ｐｄｆ、ＣＤ．ｐｄｆ）を送信先３０に送信する（Ｓ６５）。
以上によって、送信先３０からの指示情報に基づいて全データを分割した画像データを送信できる。
【００３７】
実施の形態８
図２１は、本発明の実施の形態８に係る画像データ送信方法のフローチャートである。図２２は、図２１のフローチャートのステップＳ７６からステップＳ７９について概略的に説明する図である。この画像データ送信方法は、図６のフローチャートの分岐Ｃについての一例に関するものである。
（ａ）原稿をセットする（Ｓ７１）。
（ｂ）送信先３０を設定する（Ｓ７２）。
（ｃ）送信元４０を設定する（Ｓ７３）。
（ｄ）原稿をスキャンする（Ｓ７４）。
（ｅ）画像データを各ファイル形式に変換する（Ｓ７５）。
（ｆ）変換後の画像データファイルの容量情報を送信先３０へ通知する（Ｓ７６）。送信先３０では、図２２の例のように画面表示する。
（ｇ）送信先３０からの指示を受信したか判断する（Ｓ７７）。指示を受信した場合、次のステップＳ７８に移行する。一方、指示を受信しなかった場合には図６の分岐Ａに移行する。この分岐Ａについては後述する。
（ｈ）送信先３０からの指示が「別の場所に保存」の場合である。これは図６での分岐Ｃの一例である。この指示に従って、画像データ送信装置１０内のＨＤＤ４に保存する（Ｓ７８）。
（ｉ）送信装置１０は、送信先３０へデータ格納場所を送信する（Ｓ７９）。その後終了する。
以上によって、送信先３０からの指示情報に基づいて画像データ送信装置１０内に保存できる。
【００３８】
実施の形態９
図２３は、本発明の実施の形態９に係る画像データ送信方法のフローチャートである。図２４は、図２３のフローチャートのステップＳ８６からステップＳ９０について概略的に説明する図である。この画像データ送信方法は、図６のフローチャートの分岐Ｃについての一例に関するものである。
（ａ）原稿をセットする（Ｓ８１）。
（ｂ）送信先３０を設定する（Ｓ８２）。
（ｃ）送信元４０を設定する（Ｓ８３）。
（ｄ）原稿をスキャンする（Ｓ８４）。
（ｅ）画像データを各ファイル形式に変換する（Ｓ８５）。
（ｆ）変換後の画像変換データファイルの容量情報を送信先３０へ通知する（Ｓ８６）。送信先３０では、図２４の例のように画面表示する。
（ｇ）送信先３０からの指示を受信したか判断する（Ｓ８７）。指示を受信した場合、次のステップＳ８８に移行する。一方、指示を受信しなかった場合には図６の分岐Ａに移行する。この分岐Ａについては後述する。
（ｈ）送信先３０からの指示が「別の場所に保存」の場合である。これは図６での分岐Ｃの一例である。この指示に従って、画像変換データファイルを外部保存先のサーバ５０へ送信する（Ｓ８８）。
（ｉ）サーバ５０でデータ格納後、サーバ５０からその格納場所を画像データ送信装置１０へ通知する（Ｓ８９）。
（ｊ）画像データ送信装置１０は、送信先３０及び送信元４０へデータ格納場所を送信する（Ｓ９０）。その後終了する。
以上によって、送信先３０からの指示情報に基づいて画像データを外部保存先であるサーバ５０に保存できる。
【００３９】
実施の形態１０
図２５は、本発明の実施の形態１０に係る画像データ送信方法のフローチャートである。図２６及び図２７は、図２５のフローチャートの画像データ送信方法を概略的に説明する図である。図２６は、送信先３０の指示情報履歴が存在しない場合の例であり、図２７は、送信先３０の指示情報履歴が存在する場合の例である。
（ａ）原稿をセットする（Ｓ９１）。
（ｂ）送信先３０を設定する（Ｓ９２）。
（ｃ）送信元４０を設定する（Ｓ９３）。
（ｄ）原稿をスキャンする（Ｓ９４）。
（ｅ）画像データを各ファイル形式に変換する（Ｓ９５）。具体的には、画像データ変換手段１５で、例えば、ＰＤＦファイルに変換する。また、変換後のＰＤＦファイルの容量等のファイル情報を作成する。
（ｆ）データ記憶手段１４から、設定された送信先３０の指示情報履歴を取得する（Ｓ９６）。図２６及び図２７の例では、送信先３０のユーザ名：山田太郎についての送信先情報の指示情報履歴を参照する。
（ｇ）送信先３０の指示情報履歴が存在するか否か判断する（Ｓ９７）。存在する場合にはステップＳ１０１に移行し、存在しない場合にはステップＳ９８に移行する。図２６の例では、指示情報履歴の項目は全て「Ｎｏ」であって、指示情報履歴が存在しない。一方、図２７の例では、送信先３０のユーザ名：山田太郎についての指示情報履歴が存在する。
（ｈ）変換後の画像データファイルの容量情報を送信先３０へ通知する（Ｓ９８）。送信先３０では、図２６の例に示すように画面表示する。
（ｉ）指示待ちタイマをクリアする（Ｓ９９）
（ｊ）送信先３０からの指示を受信したか判断する（Ｓ１００）。指示を受信した場合には、その指示に応じてＳ１０２、Ｓ１０４、Ｓ１０５、Ｓ１０６のいずれかのステップに分岐する。一方、指示を受信しなかった場合には、ステップＳ１０７に移行する。
（ｋ−１）送信先３０から「そのまま受信」の指示を受けた場合（Ｓ１０２）である。この場合、図２６に示すように、指示情報履歴の「そのまま受信」の項目を「Ｙｅｓ」に書き換える。
（ｌ−１）画像データファイルを送信先３０へ送信する（Ｓ１０３）。その後、終了する。
（ｋ−２）送信先３０から「ページ指定または編集」の指示を受けた場合（Ｓ１０４）である。この場合、指示情報履歴の「ページ指定または編集」の項目を「Ｙｅｓ」に書き換える。その後、前述の分岐Ｂに移行する。
（ｋ−３）送信先３０から「別の場所に保存」の指示を受けた場合（Ｓ１０５）である。この場合、指示情報履歴の「別の場所に保存」の項目を「Ｙｅｓ」に書き換える。その後、前述の分岐Ｃに移行する。
（ｋ−４）送信先３０から「受信拒否」の指示を受けた場合（Ｓ１０６）である。この場合、指示情報履歴の「受信拒否」の項目を「Ｙｅｓ」に書き換える。この分岐Ｄとは、ファイル送信を中止する処理であり、その後、終了する。
（ｍ）ステップＳ１００で指示を受信しなかった場合には、指示待ちタイマを加算する（Ｓ１０７）。
（ｎ）指示待ち時間の閾値を超えたか否かを判断する（Ｓ１０８）。閾値を超えたばあいについては、後述する分岐Ａに移行する。一方、閾値を超えていない場合には送信先からの指示受信を判断するステップＳ１００に戻る。
（ｏ）ステップＳ９７で送信先３０の指示情報履歴が存在する場合には、データ記憶手段１４から、前回の送信先３０の指示情報を取得する（Ｓ１０１）。その後、その指示がいずれであるかによって、Ｓ１０２、Ｓ１０４、Ｓ１０５、Ｓ１０６のいずれかに移行する。図２７の例では、指示情報履歴として「そのまま受信」の項目が「Ｙｅｓ」であるので、ステップＳ１０２に移行し、画像データファイルを送信先３０へ送信する。
以上によって、以前に送信先３０から指示を受けていた場合には、その指示情報履歴に基づいて画像データを送信先３０へ送信することができる。
【００４０】
実施の形態１１
図２８は、本発明の実施の形態１１に係る画像データ送信方法のフローチャートである。図２９は、図２８のフローチャートの画像データ送信方法を概略的に説明する図である。この画像データ送信方法は、図６のフローチャートの分岐Ａの一例に関するものである。
（ａ）原稿をセットする（Ｓ１１１）。
（ｂ）送信先３０を設定する（Ｓ１１２）。
（ｃ）送信元４０を設定する（Ｓ１１３）。
（ｄ）原稿をスキャンする（Ｓ１１４）。
（ｅ）画像データを各ファイル形式に変換する（Ｓ１１５）。
（ｆ）変換後の画像データファイルの容量情報を送信先３０へ通知する（Ｓ１１６）。送信先３０では、図２９の例に示すように画面表示する。
（ｇ）送信先３０からの指示を受信したか判断する（Ｓ１１７）。指示を受信した場合については図６のステップＳ０９、Ｓ１１、Ｓ１２、Ｓ１３のいずれかに移行する。一方、指示を受信しなかった場合には次のステップＳ１１８に移行する。なお、この場合は、図６で挙げた分岐Ａの一例に対応する。
（ｈ）送信先３０から指示を受信しなかった場合のデフォルトの設定として、画像データ送信装置１０内のＨＤＤ４に保存する（Ｓ１１８）。なお、分岐Ａの設定は、上記設定に限られるものではなく、他の設定に置き換えてもよい。
（ｉ）画像データ送信装置１０は、送信先３０及び送信元４０へデータ格納場所を送信する（Ｓ１１９）。その後終了する。
以上によって、あらかじめデフォルトの設定をしておくことで、送信先３０からの指示がない場合にも対応できる。
【００４１】
実施の形態１２
図３０は、本発明の実施の形態１２に係る画像データ送信方法のフローチャートである。図３１は、図３０のフローチャートの画像データ送信方法を概略的に説明する図である。この画像データ送信方法は、図６のフローチャートの分岐Ａの一例に関するものである。
（ａ）原稿をセットする（Ｓ１２１）。
（ｂ）送信先３０を設定する（Ｓ１２２）。
（ｃ）送信元４０を設定する（Ｓ１２３）。
（ｄ）原稿をスキャンする（Ｓ１２４）。
（ｅ）画像データを各ファイル形式に変換する（Ｓ１２５）。
（ｆ）変換後の画像データファイルの容量情報を送信先３０へ通知する（Ｓ１２６）。送信先３０では、図３１の例に示すように画面表示する。
（ｇ）送信先３０からの指示を受信したか判断する（Ｓ１２７）。指示を受信した場合については図６のステップＳ０９、Ｓ１１、Ｓ１２、Ｓ１３のいずれかに移行する。一方、指示を受信しなかった場合には次のステップＳ１２８に移行する。なお、この場合は、図６で挙げた分岐Ａの一例に対応する。
（ｈ）画像データ送信装置１０でデータ保存期間を設定する（Ｓ１２８）。
（ｉ）画像データ送信装置１０内のＨＤＤ４に保存する（Ｓ１２９）。
（ｊ）送信装置１０は、送信先３０及び送信元４０へデータ格納場所を送信する（Ｓ１３０）。
（ｋ）データ保存期間内であるか否かを確認する（Ｓ１３１）。
（ｌ）保存期間内である場合には、送信装置１０においてデータ保存を維持する（Ｓ１３２）。その後、ステップＳ１３１へ戻る。
（ｍ）保存期間を超えている場合には、送信装置１０においてデータを削除する（Ｓ１３３）。その後終了する。
以上によって、送信先３０からの指示がない場合にも、設定した保存期間が経過した場合にはデータを削除することで画像データ送信装置１０における管理の負担を軽減できる。
【００４２】
実施の形態１３
図３２は、本発明の実施の形態１３に係る画像データ送信方法のフローチャートである。図３３は、図３２のフローチャートを概略的に説明する図である。この画像データ送信方法は、図６のフローチャートの分岐Ａに関するものである。
（ａ）図６のフローチャートの分岐Ａである。
（ｂ）画像データを最低解像度で送信先３０に送信することを決定する（Ｓ１４１）。図３３の例では、最低解像度１００ｄｐｉを選択する。
（ｃ）元データの解像度を変更して画像データを作成する（Ｓ１４２）。
（ｄ）画像データをＰＤＦファイルに変換する（Ｓ１４３）。図３３の例では、３ＭＢのＰＤＦファイルを得る。
（ｅ）解像度を変更した画像編集データを送信する（Ｓ１４４）。その後、終了する。
以上によって、送信先３０から指示がなかった場合にも最低解像度の画像データを送信するので、送信先３０においても受信負担を軽減できると共に、ネットワーク２０の負荷も軽減できる。
【００４３】
実施の形態１４
図３４は、本発明の実施の形態１４に係る画像データ送信方法のフローチャートである。図３５は、図３４のフローチャートを概略的に説明する図である。この画像データ送信方法は、図６のフローチャートの分岐Ａに関するものである。
（ａ）図６のフローチャートの分岐Ａである。
（ｂ）送信先情報に第２送信先が登録されているか否かを確認する（Ｓ１５１）。第２送信先が登録されている場合には、次のステップＳ１５２へ移行する。一方、第２送信先が登録されていなければそのまま終了する。図３５の例では、送信先３０の送信先情報における「第２メールアドレス」の項目を参照する。
（ｃ）変換後の画像変換データファイルの容量情報を第２送信先へ通知する（Ｓ１５２）。図３５の例では、「第２メールアドレス」として「ｔａｒｏｕ＿ｙａｍａｄａ＠ｄｏｃｏｄｅｍｏ．ｊｐ」が記録されているので、これを第２送信先６０として取得し、通知する。第２送信先６０では、受信した通知を図３５に示すように画面表示する。
（ｄ）指示待ちタイマをクリアする（Ｓ１５３）。
（ｅ）送信先６０からの指示を受信したか否かを確認する（Ｓ１５４）。指示を受信した場合には、その指示に応じてＳ１５５、Ｓ１５７、Ｓ１５８、Ｓ１５９のいずれかのステップに分岐する。一方、指示を受信しなかった場合には、ステップＳ１６０に移行する。
（ｆ−１）送信先６０から「そのまま受信」の指示を受けた場合（Ｓ１５５）である。
（ｇ−１）画像データファイルを送信先へ送信する（Ｓ１５６）。その後、終了する。
（ｆ−２）送信先６０から「ページ指定または編集」の指示を受けた場合（Ｓ１５７）である。この場合については、前述の分岐Ｂに移行する。
（ｆ−３）送信先６０から「別の場所に保存」の指示を受けた場合（Ｓ１５８）である。この場合については、前述の分岐Ｃに移行する。
（ｆ−４）送信先６０から「受信拒否」の指示を受けた場合（Ｓ１５９）である。この場合、分岐Ｄとは、ファイル送信中止処理を行う処理であり、その後、終了する。
（ｈ）ステップＳ１５４で指示を受信しなかった場合には、指示待ちタイマを加算する（Ｓ１６０）。
（ｉ）指示待ち時間の閾値を超えたか否かを判断する（Ｓ１６１）。閾値を超えたばあいについては、終了する。一方、閾値を超えていない場合には送信先からの指示受信を判断するステップＳ１５４に戻る。
以上によって、携帯電話等の第２送信先６０へ通知することでユーザが送信先３０から離れている場合にも気づかせることができる。
【００４４】
実施の形態１５
図３６は、本発明の実施の形態１５に係る画像データ送信方法のフローチャートである。図３７は、図３６のフローチャートを概略的に説明する図である。この画像データ送信方法は、図６のフローチャートの分岐Ａに関するものである。
（ａ）図６のフローチャートの分岐Ａである。
（ｂ）送信元４０へ”送信先からの応答なし”と通知する（Ｓ１７１）。送信元４０では、図３７に示すように画面表示する。
（ｃ）指示待ちタイマをクリアする（Ｓ１７２）。
（ｄ）送信元４０からの指示を受信したか否かを判断する（Ｓ１７３）。指示を受信した場合には、その指示に応じてＳ１７４、Ｓ１７６、Ｓ１７９、Ｓ１８２のいずれかのステップに分岐する。一方、指示を受信しなかった場合には、ステップＳ１８５に移行する。
（ｅ−１）送信元４０から「そのまま送信（強制送信）」の指示を受けた場合（Ｓ１７４）である。
（ｆ−１）画像データファイルを送信先３０へ送信する（Ｓ１７５）。その後、終了する。
（ｅ−２）送信元４０から「別アドレスに強制送信」の指示を受けた場合（Ｓ１７６）である。
（ｆ−２）送信元４０から送信先メールアドレスを取得する（Ｓ１７７）。
（ｇ−２）画像データファイルを指定送信先へ送信する（Ｓ１７８）。その後、終了する。
（ｅ−３）送信元４０から「送信保留、データ保存」の指示を受けた場合（Ｓ１７９）である。
（ｆ−３）画像データファイルを画像データ送信装置１０内に保存する（Ｓ１８０）。
（ｇ−３）画像データを保存している旨を送信先３０へ通知する（Ｓ１８１）。
（ｅ−４）送信元４０から「送信キャンセル、データ消去」の指示を受けた場合（Ｓ１８２）である。
（ｆ−４）画像データをＨＤＤ４から消去する（Ｓ１８３）。
（ｇ−４）画像データを消去した旨を送信先３０へ通知する。その後、終了する。
（ｈ）ステップＳ１７３で送信元４０からの指示を受信しなかった場合には、指示待ちタイマを加算する（Ｓ１８５）。
（ｉ）指示待ち時間の閾値を超えたか否かを判断する（Ｓ１８６）。閾値を超えたばあいについては、終了する。一方、閾値を超えていない場合には送信先からの指示受信を判断するステップＳ１７３に戻る。
以上によって、送信先３０から指示を受信できない場合にも、送信元４０にその旨を通知し、送信元４０からの指示情報に基づいて画像データを送信先３０に送信できる。
【産業上の利用可能性】
【００４５】
本発明に係る画像データ送信装置は、ネットワークを介して受信装置に画像データを送信する画像データ送信装置に適用することができる。
【図面の簡単な説明】
【００４６】
【図１】ネットワークに接続された画像データ送信装置（ＭＦＰ）と受信装置（送信先）及び送信元との関係を示す概略図である。
【図２】画像データ送信装置の物理的な構成を示すブロック図である。
【図３】画像データ送信装置（ＭＦＰ）の表示部の基本画面の例を示す概略図である。
【図４】画像データ送信装置（ＭＦＰ）のスキャンキーを押した場合のスキャンモード画面を示す図である。
【図５】本発明の実施の形態１に係る画像データ送信装置の機能的な構成を示すブロック図である。
【図６】本発明の実施の形態１に係る画像データ送信方法のフローチャートである。
【図７】本発明の実施の形態１に係る画像データ送信方法の具体例を示す概略図である。
【図８】受信装置で「そのまま受信」を選択した場合の画像データ送信の具体例を示す概略図である。
【図９】本発明の実施の形態２に係る画像データ送信方法のフローチャートである。
【図１０】本発明の実施の形態２に係る画像データ送信方法の具体例を示す概略図である。
【図１１】本発明の実施の形態３に係る画像データ送信方法のフローチャートである。
【図１２】本発明の実施の形態３に係る画像データ送信方法の具体例を示す概略図である。
【図１３】本発明の実施の形態４に係る画像データ送信方法のフローチャートである。
【図１４】本発明の実施の形態４に係る画像データ送信方法の具体例を示す概略図である。
【図１５】本発明の実施の形態５に係る画像データ送信方法のフローチャートである。
【図１６】本発明の実施の形態５に係る画像データ送信方法の具体例を示す概略図である。
【図１７】本発明の実施の形態６に係る画像データ送信方法のフローチャートである。
【図１８】本発明の実施の形態６に係る画像データ送信方法の具体例を示す概略図である。
【図１９】本発明の実施の形態７に係る画像データ送信方法のフローチャートである。
【図２０】本発明の実施の形態７に係る画像データ送信方法の具体例を示す概略図である。
【図２１】本発明の実施の形態８に係る画像データ送信方法のフローチャートである。
【図２２】本発明の実施の形態８に係る画像データ送信方法の具体例を示す概略図である。
【図２３】本発明の実施の形態９に係る画像データ送信方法のフローチャートである。
【図２４】本発明の実施の形態９に係る画像データ送信方法の具体例を示す概略図である。
【図２５】本発明の実施の形態１０に係る画像データ送信方法のフローチャートである。
【図２６】本発明の実施の形態１０に係る画像データ送信方法の具体例を示す概略図である。
【図２７】図２５のフローチャートのＳ９７で指示情報履歴が存在する場合における画像データ送信方法の具体例を示す概略図である。
【図２８】本発明の実施の形態１１に係る画像データ送信方法のフローチャートである。
【図２９】本発明の実施の形態１１に係る画像データ送信方法の具体例を示す概略図である。
【図３０】本発明の実施の形態１２に係る画像データ送信方法のフローチャートである。
【図３１】本発明の実施の形態１２に係る画像データ送信方法の具体例を示す概略図である。
【図３２】本発明の実施の形態１３に係る画像データ送信方法のフローチャートである。
【図３３】本発明の実施の形態１３に係る画像データ送信方法の具体例を示す概略図である。
【図３４】本発明の実施の形態１４に係る画像データ送信方法のフローチャートである。
【図３５】本発明の実施の形態１４に係る画像データ送信方法の具体例を示す概略図である。
【図３６】本発明の実施の形態１５に係る画像データ送信方法のフローチャートである。
【図３７】本発明の実施の形態１５に係る画像データ送信方法の具体例を示す概略図である。
【符号の説明】
【００４７】
１  ＣＰＵ、２  ＲＯＭ、３  ＲＡＭ、４  ＨＤＤ、５  入力部、６  表示部、７  プリント部、８  インタフェース、９  バス、１０  画像データ送信装置（ＭＦＰ）、１１  画像読み取り手段、１２  送信先設定手段、１３  送信元設定手段、１４  データ記憶手段、１５  画像データ変換手段、１６  画像データ編集手段、１７  送信制御手段、１８  通知手段、１９  画像データ送信手段、２０  ネットワーク、２１  受信手段、２２  データ送信中止手段、３０  受信装置（送信先）、３２  表示部、３４  入力部、４０  送信元、５０  外部保存先（サーバ）、６０  第２送信先
【図１】
2006314021.tif 000003
【図２】
2006314021.tif 000004
【図３】
2006314021.tif 000005
【図４】
2006314021.tif 000006
【図５】
2006314021.tif 000007
【図６】
2006314021.tif 000008
【図７】
2006314021.tif 000009
【図８】
2006314021.tif 000010
【図９】
2006314021.tif 000011
【図１０】
2006314021.tif 000012
【図１１】
2006314021.tif 000013
【図１２】
2006314021.tif 000014
【図１３】
2006314021.tif 000015
【図１４】
2006314021.tif 000016
【図１５】
2006314021.tif 000017
【図１６】
2006314021.tif 000018
【図１７】
2006314021.tif 000019
【図１８】
2006314021.tif 000020
【図１９】
2006314021.tif 000021
【図２０】
2006314021.tif 000022
【図２１】
2006314021.tif 000023
【図２２】
2006314021.tif 000024
【図２３】
2006314021.tif 000025
【図２４】
2006314021.tif 000026
【図２５】
2006314021.tif 000027
【図２６】
2006314021.tif 000028
【図２７】
2006314021.tif 000029
【図２８】
2006314021.tif 000030
【図２９】
2006314021.tif 000031
【図３０】
2006314021.tif 000032
【図３１】
2006314021.tif 000033
【図３２】
2006314021.tif 000034
【図３３】
2006314021.tif 000035
【図３４】
2006314021.tif 000036
【図３５】
2006314021.tif 000037
【図３６】
2006314021.tif 000038
【図３７】
2006314021.tif 000039